(57)【要約】【課題】この発明は、チューナ部の設置位置の自由度を高め、製造設計及びユーザの取り扱いに対して実用的なレベルでの利便性を図り得る放送受信装置を提供することを目的としている。【解決手段】基端部（２６ａ）に対して先端部（２６ｂ）が所定の角度で折曲されるとともに、基端部（２６ａ）がその軸心の回りに回動自在に支持された入力接栓（２６）を備えたチューナ部（２３）を、ほぼ直方体状に形成されたシールドケース（２５）の長手方向の２つの端面を除く４つの側面のいずれかが、表示部（１５）の表示パネルに並設されるように設置する。【選択図】    図１
2005130398.tif 000002
【特許請求の範囲】
【請求項１】
入力された高周波信号をダウンコンバートして所定のチャンネルの放送信号を選局する回路ブロックが形成された回路基板と、前記回路基板を収納するほぼ直方体状に形成されたシールドケースと、前記高周波信号が入力されるもので、前記回路基板に接続され前記シールドケースの長手方向の一端面を挿通して外方に突出されており、基端部に対して先端部が所定の角度で折曲されるとともに、前記基端部がその軸心の回りに回動自在に支持された入力接栓と、前記回路基板に接続され前記シールドケースの一側面を挿通して外方に突出されており、前記選局された信号を出力する端子とを有するチューナ部と、
前記端子に接続され該端子から出力された信号を映像信号に復元する信号処理部と、
前記信号処理部で復元された映像信号を表示パネルに表示する表示部とを具備し、
前記チューナ部を、前記シールドケースの長手方向の２つの端面を除く４つの側面のいずれかが、前記表示部の表示パネルに並設されるように設置したことを特徴とする放送受信装置。
【請求項２】
前記入力接栓は、前記基端部に対して前記先端部がほぼ９０度の角度で折り曲げられていることを特徴とする請求項１記載の放送受信装置。
【請求項３】
入力された高周波信号をダウンコンバートして所定のチャンネルの放送信号を選局する回路ブロックが形成された回路基板と、前記回路基板を収納するほぼ直方体状に形成されたシールドケースと、前記高周波信号が入力されるもので、前記回路基板に接続され前記シールドケースの長手方向の一端面を挿通して外方に突出されており、基端部に対して先端部が角度を可変可能に折り曲げられるように構成されるとともに、前記基端部がその軸心の回りに回動自在に支持された入力接栓と、前記回路基板に接続され前記シールドケースの一側面を挿通して外方に突出されており、前記選局された信号を出力する端子とを有するチューナ部と、
前記端子に接続され該端子から出力された信号を映像信号に復元する信号処理部と、
前記信号処理部で復元された映像信号を表示パネルに表示する表示部とを具備し、
前記チューナ部を、前記シールドケースの長手方向の２つの端面を除く４つの側面のいずれかが、前記表示部の表示パネルに並設されるように設置したことを特徴とする放送受信装置。
【請求項４】
入力された高周波信号をダウンコンバートして所定のチャンネルの放送信号を選局する回路ブロックが形成された回路基板と、前記回路基板を収納するほぼ直方体状に形成されたシールドケースと、前記高周波信号が入力されるもので、前記回路基板に接続され前記シールドケースの長手方向の一端面を挿通して外方に突出されており、基端部に対して先端部が所定の角度で折曲されるとともに、前記基端部がその軸心の回りに回動自在に支持された入力接栓と、前記回路基板に接続され前記シールドケースの一側面を挿通して外方に突出されており、前記選局された信号を出力する端子とを有するチューナ部と、
前記端子に接続され該端子から出力された信号を映像信号に復元する信号処理部と、
前記信号処理部で復元された映像信号を表示パネルに表示する表示部とを具備し、
前記チューナ部を、前記シールドケースの長手方向の２つの端面を除く４つの側面のうち、最も近接して面対向している２つの側面が、前記表示部の表示パネルに並設されるように設置したことを特徴とする放送受信装置。
【請求項５】
前記入力接栓は、前記基端部に対して前記先端部がほぼ９０度の角度で折り曲げられていることを特徴とする請求項４記載の放送受信装置。
【請求項６】
入力された高周波信号をダウンコンバートして所定のチャンネルの放送信号を選局する回路ブロックが形成された回路基板と、前記回路基板を収納するほぼ直方体状に形成されたシールドケースと、前記高周波信号が入力されるもので、前記回路基板に接続され前記シールドケースの長手方向の一端面を挿通して外方に突出されており、基端部に対して先端部が角度を可変可能に折り曲げられるように構成されるとともに、前記基端部がその軸心の回りに回動自在に支持された入力接栓と、前記回路基板に接続され前記シールドケースの一側面を挿通して外方に突出されており、前記選局された信号を出力する端子とを有するチューナ部と、
前記端子に接続され該端子から出力された信号を映像信号に復元する信号処理部と、
前記信号処理部で復元された映像信号を表示パネルに表示する表示部とを具備し、
前記チューナ部を、前記シールドケースの長手方向の２つの端面を除く４つの側面のうち、最も近接して面対向している２つの側面が、前記表示部の表示パネルに並設されるように設置したことを特徴とする放送受信装置。
【請求項７】
基台に載置するための支持台を具備し、
前記支持台を介して前記基台に載置された状態で、前記入力接栓が前記基台側に位置するように前記チューナ部を設置することを特徴とする請求項１乃至６いずれかに記載の放送受信装置。
【発明の詳細な説明】
【技術分野】
【０００１】
この発明は、例えばテレビジョン放送等を受信する放送受信装置に係り、特にそのチューナ部の端子構造の改良に関する。
【背景技術】
【０００２】
周知のように、近年では、例えば液晶パネルやＰＤＰ（Plasma Display Panel）等を用いた、薄型で大画面のテレビジョン放送受信機が普及している。ところで、この種のテレビジョン放送受信機では、その薄型化のために、各種のモジュール部品を収納するスペースが著しく制限されている。
【０００３】
一方、アンテナで受信した高周波信号をダウンコンバートして、所望のチャンネルのテレビジョン放送信号を選局するためのチューナ部は、ほぼ直方体状に形成されたチューナ本体部を有し、このチューナ本体部の長手方向の一端面からアンテナケーブルを接続するためのアンテナ入力接栓が外方向に突出する構成となっている。
【０００４】
このため、チューナ部をテレビジョン放送受信機に収納する際に、チューナ部の長手方向をテレビジョン放送受信機の奥行き方向と一致させることは、薄型化に反することになる。したがって、チューナ部は、テレビジョン放送受信機を背面側から見た状態で、そのアンテナ入力接栓が上下左右のいずれかの方向を向くように設置される必要がある。
【０００５】
しかしながら、アンテナ入力接栓が上方向を向くように設置することは、一般のテレビジョン放送受信機において通常行なわれることではない。また、アンテナ入力接栓が左または右方向を向くように設置することは、テレビジョン放送受信機を設置する際に、ユーザがアンテナケーブルを引き回す自由度が損なわれる。
【０００６】
さらに、アンテナ入力接栓が下方向を向くように設置する場合、ユーザが、アンテナ入力接栓にアンテナケーブルを接続する作業の利便性、つまり、ユーザの手が入る十分なスペースを確保することを考慮すると、低い位置に設置することはできないため、このような点でも、アンテナ入力接栓の設置場所が制限されることになる。
【０００７】
特許文献１には、電子機器の背後に接続した際に、電子機器の背後と壁との間に生じるスペースを削減することができる電子機器用コネクタが開示されている。しかしながら、この特許文献１では、テレビジョン放送受信機の薄型化に伴なって、チューナ部の配置を考慮することについては何らの記載もなされていないものである。
【特許文献１】特開平１１−４０２４１号公報
【発明の開示】
【発明が解決しようとする課題】
【０００８】
そこで、この発明は上記事情を考慮してなされたもので、チューナ部の設置位置の自由度を高め、製造設計及びユーザの取り扱いに対して実用的なレベルでの利便性を図り得る放送受信装置を提供することを目的とする。
【課題を解決するための手段】
【０００９】
この発明に係る放送受信装置は、入力された高周波信号をダウンコンバートして所定のチャンネルの放送信号を選局する回路ブロックが形成された回路基板と、回路基板を収納するほぼ直方体状に形成されたシールドケースと、高周波信号が入力されるもので、回路基板に接続されシールドケースの長手方向の一端面を挿通して外方に突出されており、基端部に対して先端部が所定の角度で折曲されるとともに、基端部がその軸心の回りに回動自在に支持された入力接栓と、回路基板に接続されシールドケースの一側面を挿通して外方に突出されており、選局された信号を出力する端子とを有するチューナ部と；端子に接続され該端子から出力された信号を映像信号に復元する信号処理部と；信号処理部で復元された映像信号を表示パネルに表示する表示部とを備え；チューナ部を、シールドケースの長手方向の２つの端面を除く４つの側面のいずれかが、表示部の表示パネルに並設されるように設置したものである。
【発明の効果】
【００１０】
上記した発明によれば、基端部に対して先端部が所定の角度で折曲されるとともに、基端部がその軸心の回りに回動自在に支持された入力接栓を備えたチューナ部を、シールドケースの長手方向の２つの端面を除く４つの側面のいずれかが、表示部の表示パネルに並設されるように設置したので、チューナ部の設置位置の自由度を高め、製造設計及びユーザの取り扱いに対して実用的なレベルでの利便性を図ることが可能となる。
【発明を実施するための最良の形態】
【００１１】
以下、この発明の実施の形態について図面を参照して詳細に説明する。図１は、この実施の形態で説明するテレビジョン放送受信機１１を正面側から見た状態を示している。このテレビジョン放送受信機１１は、主として、キャビネット１２と、このキャビネット１２を支持する支持台１３とから構成されている。
【００１２】
このうち、キャビネット１２は、厚みの薄いほぼ長方形の平板状に形成されている。また、支持台１３は、キャビネット１１の長手方向の一側面中央部に回動自在に連結されており、所定の基台１４の水平面上に載置された状態で、キャビネット１２を起立させて支持するように構成されている。
【００１３】
そして、上記キャビネット１２には、その正面中央部に液晶表示部１５が配置されている。また、このキャビネット１２の正面側において、液晶表示部１５の両側には、一対のスピーカ１６ａ，１６ｂ、電源スイッチ１７及びワイヤレスリモートコントローラから送出された操作情報を受信するための受信部１８等が配置されている。
【００１４】
一方、図２は、上記テレビジョン放送受信機１１を背面側から見た状態を示している。すなわち、上記キャビネット１２には、支持台１３、液晶表示部１５、一対のスピーカ１６ａ，１６ｂ、電源スイッチ１７及び受信部１８等が、それぞれ上述した位置に設置されている。
【００１５】
そして、上記液晶表示部１５の背面側には、その表示パネル面にほぼ平行するように主基板１９が設置されている。この主基板１９には、信号処理回路部２０、操作キー２１、外部接続用コネクタ２２、チューナ部２３等が支持されている。
【００１６】
なお、信号処理回路部２０には、上記液晶表示部１５を駆動するための駆動回路、チューナ部２３からの出力信号を映像及び音声信号を復元するための復調回路及び電源回路等を内蔵している。
【００１７】
図３は、上記チューナ部２３の詳細を示している。このチューナ部２３は、アンテナで受信した高周波信号をダウンコンバートして、所望のチャンネルのテレビジョン放送信号を選局するための回路ブロックが形成された回路基板２４を、ほぼ直方体状に形成されたシールドケース２５内に収納した構成となっている。
【００１８】
そして、上記回路基板２４には、ほぼ円筒形状に形成されたアンテナ入力接栓２６が接続されている。このアンテナ入力接栓２６は、チューナ部２３の本体部となるシールドケース２５の長手方向の一端面２５ａを挿通して外方に突出されている。
【００１９】
このアンテナ入力接栓２６は、その基端部２６ａに対して先端部２６ｂがほぼＬ字状、つまり約９０度に折曲されており、その先端部２６ｂの周囲にアンテナケーブルを接続するためのねじ溝２６ｃが形成されている。また、このアンテナ入力接栓２６は、図３に矢印Ａ，Ｂで示すように、その基端部２６ａが軸心の回りに回動可能に支持されている。
【００２０】
また、上記回路基板２４には、複数の端子２７が接続されている。これらの端子２７は、シールドケース２５の一側面２５ｂを挿通して外方に突出されている。これらの端子２７は、チューナ部２３が主基板１９に設置された状態で、信号処理回路部２０に電気的に接続される。
【００２１】
この場合、チューナ部２３は、そのシールドケース２５の長手方向の２つの端面を除く４つの側面のいずれかを、主基板１９に並設させるように取り付けられる。なお、チューナ部２３は、そのシールドケース２５の長手方向の２つの端面を除く４つの側面のうち、最も近接して面対向している２つの側面を、主基板１９に並設させれば、テレビジョン放送受信機１１のより薄型化を図ることができる。
【００２２】
そして、アンテナケーブルを介してアンテナ入力接栓２６に供給された高周波信号は、回路基板２４の回路ブロックに供給されて所望のチャンネルのテレビジョン放送信号が選局される。
【００２３】
この選局されたテレビジョン放送信号は、端子２７を介して信号処理回路部２０に供給されて映像及び音声信号に復元され、液晶表示部１５で画像表示されるとともに、スピーカ１６ａ，１６ｂで音声再生される。
【００２４】
上記のような構成となされたチューナ部２３は、そのアンテナ入力接栓２６がほぼＬ字状に折曲され、かつ、シールドケース２５に対して回動可能に支持されているので、図４に示すように、アンテナ入力接栓２６を下向きにして主基板１９に取り付けた場合、基台１４に対してアンテナ入力接栓２６が位置する高さｈ１を、現状よりも低くすることができる。
【００２５】
すなわち、図５に示すように、現状におけるチューナ部２８は、そのシールドケース２９の一端面２９ａから、ほぼ円筒形状に形成されたアンテナ入力接栓３０が、真っ直ぐに外方に向けて突出される構成となっている。
【００２６】
このため、図４に点線で示すように、チューナ部２８をアンテナ入力接栓３０が下向きとなるように主基板１９に取り付けた場合、ユーザがアンテナケーブルをアンテナ入力接栓３０に接続する際に、ユーザの手が入るスペースを確保する必要性がある。
【００２７】
このため、基台１４に対してアンテナ入力接栓２９の位置する高さｈ２を、ある程度以上に確保する必要が生じ、このことが、チューナ部２８を取り付ける際の自由度を損なっている。
【００２８】
ところが、アンテナ入力接栓２６をほぼＬ字状に折曲することにより、ユーザがアンテナケーブルをアンテナ入力接栓２６に接続する際に、ユーザの手が入るスペースを十分に確保することができるようになる。
【００２９】
これにより、基台１４に対してアンテナ入力接栓２６が位置する高さｈ１を、現状の高さｈ２よりも低くすることが可能となり、その分、チューナ部２３の設置位置の自由度を高めることができる。
【００３０】
また、アンテナ入力接栓２６をシールドケース２５に対して回動可能に支持させていることにより、テレビジョン放送受信機１１に対して、アンテナケーブルを左右いずれの方向からも引き回して接続することが可能となるので、テレビジョン放送受信機１１を設置する際の自由度も高められ、ユーザの取り扱いに対して実用的なレベルでの利便性を図ることができる。
【００３１】
図６は、上記した実施の形態の変形例を示している。図６において、図３と同一部分には同一符号を付して説明すると、アンテナ入力接栓２６は、その途中に設けられた回動軸２６ｄを中心として、矢印Ｃ，Ｄで示すように、回動自在となされている。つまり、アンテナ入力接栓２６の折り曲げ角度を任意に可変可能としたものである。
【００３２】
このようにすれば、例えば、図７に示すように、チューナ部２３を傾けて主基板１９に取り付けても、アンテナ入力接栓２６の先端部を左または右方向に向けることが可能となるため、チューナ部２３の設置位置の自由度をより一層高めることができる。
【００３３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００３４】
【図１】この発明の実施の形態を示すもので、テレビジョン放送受信機を正面側から見た状態を説明するために示す図。
【図２】同実施の形態におけるテレビジョン放送受信機を背面側から見た状態を説明するために示す図。
【図３】同実施の形態におけるチューナ部のアンテナ入力接栓の詳細な形状を説明するために示す図。
【図４】同実施の形態におけるチューナ部と現状のチューナ部との取り付け位置の違いを説明するために示す図。
【図５】現状におけるチューナ部のアンテナ入力接栓の詳細な形状を説明するために示す図。
【図６】同実施の形態におけるチューナ部のアンテナ入力接栓の変形例を説明するために示す図。
【図７】同変形例におけるチューナ部の取り付け状態を説明するために示す図。
【符号の説明】
【００３５】
１１…テレビジョン放送受信機、１２…キャビネット、１３…支持台、１４…基台、１５…液晶表示部、１６ａ，１６ｂ…スピーカ、１７…電源スイッチ、１８…受信部、１９…主基板、２０…信号処理回路部、２１…操作キー、２２…外部接続用コネクタ２２、２３…チューナ部、２４…回路基板、２５…シールドケース、２６…アンテナ入力接栓、２７…端子、２８…チューナ部、２９…シールドケース、３０…アンテナ入力接栓。
【図１】
2005130398.tif 000003
【図２】
2005130398.tif 000004
【図３】
2005130398.tif 000005
【図４】
2005130398.tif 000006
【図５】
2005130398.tif 000007
【図６】
2005130398.tif 000008
【図７】
2005130398.tif 000009